(57)【要約】  垂直軸インパクトクラッシャーの分配部材は、分配板、複数個の第１保護板、及び第２保護板を含むことができる。前記分配板は、垂直軸インパクトクラッシャーの垂直軸に連結できる。前記分配板は、円錐形状の第１分配面と第２分配面を有することができる。前記第１保護板は、前記分配板の第１分配面に付着できる。前記第２保護板は、前記分配板の第２分配面に付着できる。したがって、超硬合金材質である第１保護板と第２保護板が分配板の第１分配面と第２分配面の摩耗を防止することができる。特に、第１保護板は複数個からなっているので、第１保護板のうち、相対的により多く摩耗した第１保護板のみを新しいものに取り替えることができる。【選択図】図１
2018519995.tif 000002
【特許請求の範囲】
【請求項１】
垂直軸インパクトクラッシャーの垂直軸が連結され、円錐形状の第１分配面と第２分配面を有する分配板と、
前記分配板の第１分配面に付着された複数個の第１保護板と、
前記分配板の第２分配面に付着された第２保護板と、
を含む、垂直軸インパクトクラッシャーの分配部材。
【請求項２】
前記第２分配面は前記垂直軸の軸方向と直交し、前記第１分配面は前記第２分配面の外側端部から前記分配板の半径方向に沿って傾斜するように延長された、請求項１に記載の垂直軸インパクトクラッシャーの分配部材。
【請求項３】
前記分配板は前記第１保護板と前記第２保護板を前記第１分配面と前記第２分配面の各々に固定させるためのボルトを収容する収容溝を有する、請求項１に記載の垂直軸インパクトクラッシャーの分配部材。
【請求項４】
前記第１保護板と前記第２保護板に向ける前記ボルトの端部に保護チップが付着された、請求項３に記載の垂直軸インパクトクラッシャーの分配部材。
【請求項５】
前記保護チップは超硬合金を含む、請求項４に記載の垂直軸インパクトクラッシャーの分配部材。
【請求項６】
前記第１保護板は、
前記分配板の円周線方向に沿って配列されて、前記第２保護板の外側面に当接された内側面を有する複数個の内側保護板と、
前記分配板の円周線方向に沿って配列されて、前記内側保護板の外側面に当接された複数個の外側保護板を含む、請求項１に記載の垂直軸インパクトクラッシャーの分配部材。
【請求項７】
前記内側保護板と前記外側保護板はラウンドされた上部面と下部面を有する、請求項６に記載の垂直軸インパクトクラッシャーの分配部材。
【請求項８】
前記第２保護板は、前記分配板の第２分配面の円周線方向に沿って配列された複数個からなる、請求項１に記載の垂直軸インパクトクラッシャーの分配部材。
【請求項９】
前記分配板の外側面に付着された第３保護板をさらに含む、請求項１に記載の垂直軸インパクトクラッシャーの分配部材。
【請求項１０】
前記分配板の外側面は勾配付けた形状を有し、前記分配胴体部の勾配付けた外側面に前記第３保護板の内側面が当接された、請求項９に記載の垂直軸インパクトクラッシャーの分配部材。
【請求項１１】
前記分配板の外側面に係止部が形成され、前記係止部が挿入される係止溝が前記第３保護板の内側面に形成された、請求項９に記載の垂直軸インパクトクラッシャーの分配部材。
【請求項１２】
前記第３保護板は、超硬合金を含む、請求項９に記載の垂直軸インパクトクラッシャーの分配部材。
【請求項１３】
前記分配板の内側面に付着された第４保護板をさらに含む、請求項１に記載の垂直軸インパクトクラッシャーの分配部材。
【請求項１４】
前記第４保護板は前記第２分配面より突出した上端を有し、前記第２保護板は前記第４保護板の上端を収容する収容溝を有する、請求項１３に記載の垂直軸インパクトクラッシャーの分配部材。
【請求項１５】
前記第４保護板は、超硬合金を含む、請求項１３に記載の垂直軸インパクトクラッシャーの分配部材。
【請求項１６】
前記第１保護板と前記第２保護板は超硬合金を含む、請求項１に記載の垂直軸インパクトクラッシャーの分配部材。
【請求項１７】
前記分配板を前記垂直軸に連結させるためのボルトをさらに含む、請求項１に記載の垂直軸インパクトクラッシャーの分配部材。
【請求項１８】
前記ボルトのヘッドに保護カバーが付着された、請求項１７に記載の垂直軸インパクトクラッシャーの分配部材。
【請求項１９】
前記保護カバーは、超硬合金を含む、請求項１８に記載の垂直軸インパクトクラッシャーの分配部材。
【請求項２０】
クラッシングハウジングと、
前記クラッシングハウジングの上部に配置されて、前記クラッシングハウジング内に骨材を提供するフィーディングホッパと、
前記クラッシングハウジング内に配置されて、前記フィーディングホッパから垂直方向に提供された骨材に遠心力を与えるローターと、
前記ローターに遠心力を提供する垂直軸と、
前記ローターの底面に配置され、前記垂直軸が連結され、円錐形状の第１分配面と第２分配面を有する分配板、前記分配板の第１分配面に付着された複数個の第１保護板、及び前記分配板の第２分配面に付着された第２保護板を含む分配部材と、
前記分配部材により分配された骨材が衝突するアンビルと、
を含む、垂直軸インパクトクラッシャー。
【発明の詳細な説明】
【技術分野】
【０００１】
本発明は分配部材及びこれを含む垂直軸インパクトクラッシャーに関し、より詳しくは、骨材を粉砕して砂利及び砂を製造するための垂直軸インパクトクラッシャー内に垂直方向に投入された骨材を水平方向に分配する分配部材、及びこのような分配部材を含む垂直軸インパクトクラッシャーに関する。
【背景技術】
【０００２】
自然骨材は種々の用途によって粉砕できる。このような粉砕工程に使われるクラッシャーのうちの一類型が垂直軸インパクトクラッシャーでありうる。垂直軸インパクトクラッシャーでは、高速で加速された骨材が衝突面に衝突されることによって、骨材を粉砕させることができる。このような垂直軸インパクトクラッシャーはアンビル（anvil）型とロックオンロック（rock on rock）型に区分できる。
【０００３】
関連技術によれば、アンビル型インパクトクラッシャーは、クラッシングチャンバー（crushing chamber）、クラッシングチャンバーの上部に配置されたフィーディングホッパ（feeding hopper）を含むことができる。フィーディングホッパを通じて骨材がローター内に投入できる。骨材に遠心力を与えるローター（rotor）がクラッシングチャンバーの内部に配置できる。円錐形状の分配部材がローターの底面中央に配置できる。分配部材は、ローター内に垂直方向に沿って投入された骨材を水平方向に分配することができる。分配部材は、ローターを回転させる垂直軸に連結されて、ローターと共に回転できる。分配部材により水平方向に分配された骨材が衝突されるアンビルがクラッシングチャンバーの内壁に配置できる。
【０００４】
ローターに投入された骨材は、分配部材に衝突された後、水平方向に向けて分配されるので、ローターと共に高速で回転する分配部材は骨材とひどく摩擦を起こすことがある。したがって、分配部材は容易に摩耗するので、周期的に取り替えることが要求できる。
【発明の概要】
【発明が解決しようとする課題】
【０００５】
本発明は取替え周期を延長することができる分配部材を提供する。
【０００６】
また、本発明は前記の分配部材を含む垂直軸インパクトクラッシャーも提供する。
【課題を解決するための手段】
【０００７】
本発明の一見方に従う垂直軸インパクトクラッシャーの分配部材は、分配板、複数個の第１保護板、及び第２保護板を含むことができる。前記分配板は、垂直軸インパクトクラッシャーの垂直軸に連結できる。前記分配板は、円錐形状の第１分配面と第２分配面を有することができる。前記第１保護板は、前記分配板の第１分配面に付着できる。前記第２保護板は、前記分配板の第２分配面に付着できる。
【０００８】
例示的な実施形態において、前記第２分配面は前記垂直軸の軸方向と直交することができる。前記第１分配面は、前記第２分配面の外側端部から前記分配板の半径方向に沿って傾斜するように延長できる。
【０００９】
例示的な実施形態において、前記分配板は前記第１保護板と前記第２保護板を前記第１分配面と前記第２分配面の各々に固定させるためのボルトを収容する収容溝を有することができる。
【００１０】
例示的な実施形態において、前記第１保護板と前記第２保護板に向ける前記ボルトの端部に保護チップが付着できる。
【００１１】
例示的な実施形態において、前記保護チップは超硬合金を含むことができる。
【００１２】
例示的な実施形態において、前記第１保護板は前記分配板の円周線方向に沿って配列されて前記第２保護板の外側面に当接された内側面を有する複数個の内側保護板、及び前記分配板の円周線方向に沿って配列されて前記内側保護板の外側面に当接された複数個の外側保護板を含むことができる。
【００１３】
例示的な実施形態において、前記内側保護板と前記外側保護板はラウンドした上部面と下部面を有することができる。
【００１４】
例示的な実施形態において、前記第２保護板は前記分配板の第２分配面の円周線方向に沿って配列された複数個からなることができる。
【００１５】
例示的な実施形態において、前記分配部材は前記分配板の外側面に付着された第３保護板をさらに含むことができる。
【００１６】
例示的な実施形態において、前記分配板の外側面は勾配付けた形状を有することができる。前記分配胴体部の勾配付けた外側面に前記第３保護板の内側面が当接できる。
【００１７】
例示的な実施形態において、前記分配板の外側面に係止部が形成できる。前記係止部が挿入される係止溝が前記第３保護板の内側面に形成できる。
【００１８】
例示的な実施形態において、前記第３保護板は超硬合金を含むことができる。
【００１９】
例示的な実施形態において、前記分配部材は前記分配板の内側面に付着された第４保護板をさらに含むことができる。
【００２０】
例示的な実施形態において、前記第４保護板は前記第２分配面より突出した上端を有することができる。前記第２保護板は、前記第４保護板の上端を収容する収容溝を有することができる。
【００２１】
例示的な実施形態において、前記第４保護板は超硬合金を含むことができる。
【００２２】
例示的な実施形態において、前記第１保護板と前記第２保護板は超硬合金を含むことができる。
【００２３】
例示的な実施形態において、前記分配部材は前記分配板を前記垂直軸に連結させるためのボルトをさらに含むことができる。
【００２４】
例示的な実施形態において、前記ボルトのヘッドに保護カバーが付着できる。
【００２５】
例示的な実施形態において、前記保護カバーは超硬合金を含むことができる。
【００２６】
本発明の他の見方に従う垂直軸インパクトクラッシャーは、クラッシングハウジング、フィーディングホッパ、ローター、垂直軸、分配部材、及びアンビルを含むことができる。前記フィーディングホッパは前記クラッシングハウジングの上部に配置されて、前記クラッシングハウジング内に骨材を提供することができる。前記ローターは前記クラッシングハウジング内に配置されて、前記フィーディングホッパから垂直方向に提供された骨材に遠心力を与えることができる。前記垂直軸は、前記ローターに遠心力を提供することができる。前記分配部材は前記ローターの底面に配置され、前記垂直軸が連結され、円錐形状の第１分配面と第２分配面を有する分配板、前記分配板の第１分配面に付着された複数個の第１保護板、及び前記分配板の第２分配面に付着された第２保護板を含むことができる。前記アンビルは、記分配部材により分配された骨材と衝突することができる。
【発明の効果】
【００２７】
前記の本発明によれば、超硬合金材質である第１保護板と第２保護板が分配板の第１分配面と第２分配面の摩耗を防止することができる。特に、第１保護板は複数個からなっているので、第１保護板のうち、相対的により多く摩耗した第１保護板のみを新しいものに取り替えることができる。したがって、第１保護板のうちの少なくともいずれか１つ及び／又は第２保護板を適期に取り替えてくれることによって、分配部材を半永久的に使用することができる。
【図面の簡単な説明】
【００２８】
【図１】本発明の一実施形態に係る垂直軸インパクトクラッシャーの分配部材を示す分解斜視図である。
【図２】図１に図示された分配部材を示す斜視図である。
【図３】図２に図示された分配部材を示す断面図である。
【図４】図２に図示された分配部材を示す平面図である。
【図５】図４のＶ−Ｖ’線に沿って示す断面図である。
【図６】図４のＶＩ−ＶＩ’線に沿って示す断面図である。
【図７】本発明の他の実施形態に係る垂直軸インパクトクラッシャーの分配部材を示す断面図である。
【図８】本発明の更に他の実施形態に係る垂直軸インパクトクラッシャーの分配部材を示す断面図である。
【図９】図１に図示された分配部材を含む垂直軸インパクトクラッシャーを示す断面図である。
【発明を実施するための形態】
【００２９】
以下、添付した図面を参照して本発明の好ましい実施形態を詳細に説明する。
【００３０】
本発明は多様な変更を加えることができ、種々の形態を有することができるところ、特定の実施形態を図面に例示し、本文に詳細に説明しようとする。しかしながら、これは本発明を特定の開示形態に対して限定しようとするものでなく、本発明の思想及び技術範囲に含まれる全ての変更、均等物乃至代替物を含むものとして理解されなければならない。各図面を説明しながら類似の参照符号を類似の構成要素に対して使用した。
【００３１】
第１、第２などの用語は多様な構成要素を説明することに使用できるが、前記構成要素は前記用語により限定されてはならない。前記用語は１つの構成要素を他の構成要素から区別する目的のみに使われる。例えば、本発明の権利範囲を逸脱することなく、第１構成要素は第２構成要素として命名されることができ、類似するように、第２構成要素も第１構成要素として命名できる。
【００３２】
本出願で使用した用語は単に特定の実施形態を説明するために使われたものであって、本発明を限定しようとする意図ではない。単数の表現は、文脈上、明白に異なる意味を有しない限り、複数の表現を含む。本出願で、“含む”または“有する”などの用語は明細書上に記載された特徴、数字、段階、動作、構成要素、部分品、またはこれらを組み合わせたものが存在することを指定しようとするものであり、１つまたはその以上の他の特徴や数字、段階、動作、構成要素、部分品、またはこれらを組み合わせたものの存在または付加可能性を予め排除しないものとして理解されるべきである。
【００３３】
異に定義されない限り、技術的または科学的な用語を含めて、ここで使われる全ての用語は本発明が属する技術分野で通常の知識を有する者により一般的に理解されるものと同一な意味を有している。一般的に使われる予め定義されているもののような用語は関連技術の文脈上の意味と一致する意味を有するものとして解析されなければならず、本出願で明白に定義しない限り、理想的であるか、または過度に形式的な意味として解析できない。
【００３４】
分配部材
図１は本発明の一実施形態に係る垂直軸インパクトクラッシャーの分配部材を示す分解斜視図であり、図２は図１に図示された分配部材を示す斜視図であり、図３は図２に図示された分配部材を示す断面図であり、図４は図２に図示された分配部材を示す平面図であり、図５は図４のＶ−Ｖ’線に沿って示す断面図であり、図６は図４のＶＩ−ＶＩ’線に沿って示す断面図である。
【００３５】
図１から図６を参照すると、本実施形態に係る垂直軸インパクトクラッシャーの分配部材１００は、分配板１１０、複数個の第１保護板１４０、第２保護板１５０、第３保護板１６０、及び第４保護板１７０を含むことができる。
【００３６】
分配板１１０は、略円錐形状を有することができる。分配板１１０は、垂直軸インパクトクラッシャーの垂直軸が連結されるための軸孔１１３を有することができる。円錐形状の分配板１１０は、内側面１１６、外側面１１８、上部面、及び下部面を有することができる。骨材は、分配板１１０の上部面に衝突して水平方向に分配できる。したがって、分配板１１０の上部面が骨材を分配する分配面に該当できる。
【００３７】
本実施形態において、分配板１１０の上部面は第１分配面１１２と第２分配面１１４に区分できる。第１分配面１１２は、略円錐形状を有することができる。第２分配面１１４は、水平方向と実質的に平行した扁平な形状を有することができる。第２分配面１１４は、分配板１１０の軸孔１１３に隣接することができる。第１分配面１１２は、第２分配面１１４の外側端部から分配板１１０の半径方向に沿って傾斜するように延長できる。したがって、第１分配面１１２は前述した円錐形状を有することができる。分配板１１０の外側面１１８は、軸孔１１３の軸方向に対して傾斜した勾配形状を有することができる。特に、分配板１１０の勾配付けた外側面１１８は分配板１１０の上端から下端に行くにつれて徐々に増える形状を有することができる。したがって、分配板１１０の中心から勾配付けた外側面１１８の上端までの半径は、分配板１１０の中心から勾配付けた外側面１１８の下端までの半径より短いことがある。
【００３８】
第１保護板１４０は、分配板１１０の第１分配面１１２を保護することができる。第１保護板１４０は、分配板１１０の第１分配面１１２に当接できる。本実施形態において、第１保護板１４０は、複数個の内側保護板１２０及び複数個の外側保護板１３０を含むことができる。内側保護板１２０と外側保護板１３０の数は、特定の数字に限定されないことがある。
【００３９】
内側保護板１２０は、分配板１１０の内側円周線に沿って配列できる。内側円周線は分配板１１０の第１分配面１１２のうち、上部部分を連結する線でありうる。したがって、内側保護板１２０は分配板１１０の第１分配面１１２の上部部分に当接できる。
【００４０】
内側保護板１２０は、実質的に同一なサイズ及び形状を有することができる。内側保護板１２０の各々は、略等辺台形の形状を有することができる。したがって、内側保護板１２０の各々は、内側面１２２、外側面１２４、上部面１２６、及び下部面１２８を有することができる。内側保護板１２０の内側面１２２は、第２保護板１５０に当接できる。内側保護板１２０の外側面１２４は、外側保護板１３０に当接できる。内側保護板１２０の下部面１２８は分配板１１０の第１分配面１１２の上部部分に当接できる。前述したように、分配板１１０の第１分配面１１２は円錐形状を有しているので、第１分配面１１２も一定の曲率を有する湾曲した形状を有することができる。したがって、内側保護板１２０の下部面１２８も第１分配面１１２の曲率と実質的に同一な曲率に沿って湾曲、即ちラウンドされた形状を有することができる。内側保護板１２０の上部面１２６も下部面１２８と同様にラウンドされた形状を有することができる。
【００４１】
外側保護板１３０は分配板１１０の外側円周線に沿って配列できる。外側円周線は、分配板１１０の第１分配面１１２のうち、下部部分を連結する線でありうる 。したがって、外側円周線を形成する半径は、内側円周線を形成する半径より長いことがある。外側保護板１３０は、分配板１１０の第１分配面１１２の下部部分に当接できる。
【００４２】
外側保護板１３０は、実質的に同一なサイズ及び形状を有することができる。外側保護板１３０の各々は略等辺台形の形状を有することができる。したがって、外側保護板１３０の各々は、内側面１３２、外側面１３４、上部面１３６、及び下部面１３８を有することができる。外側保護板１３０の内側面１３２は、内側保護板１２０の外側面１２４に当接できる。外側保護板１３０の外側面１３４は、第３保護板１６０に当接できる。外側保護板１３０の下部面１３８は、分配板１１０の第１分配面１１２の下部部分に当接できる。前述したように、第１分配面１１２は一定の曲率を有する湾曲形状を有することができる。したがって、外側保護板１３０の下部面１３８も第１分配面１１２の曲率と実質的に同一な曲率に沿ってラウンドされた形状を有することができる。外側保護板１３０の上部面１３６も下部面１３８と同様にラウンドされた形状を有することができる。
【００４３】
第１保護板１４０は、骨材の衝突から分配板１１０の第１分配面１１２を保護するためのタングステンカーバイドのような超硬合金材質を含むことができる。このように、第１保護板１４０が超硬合金材質の複数個の内側保護板１２０と外側保護板１３０を含むので、内側保護板１２０と外側保護板１３０のうち、ひどく摩耗した保護板のみを選択的に取り替えることができる。
【００４４】
他の実施形態として、第１保護板１４０は内側保護板１２０と外側保護板１３０のうち、いずれか１つのみを含むこともできる。また、第１保護板１４０は内側保護板１２０と外側保護板１３０の間に介された少なくとも１列以上の中間保護板をさらに含むこともできる。
【００４５】
第１保護板１４０は、分配板１１０の第１分配面１１２にボルト１９０により締結できる。ボルト１９０は、分配板１１０の下部面から第１保護板１４０に向けて締結できる。分配板１１０は、ボルト１９０を収容する収容溝１１９を有することができる。収容溝１１９は、分配板１１０の下部面から形成できる。したがって、ボルト１９０のヘッドは、収容溝１１９を通じて露出できる。一方、ボルト１９０の端部は第１保護板１４０の上部面を通じて露出できる。ボルト１９０の端部が骨材と衝突して摩耗することを防止するために、保護チップ１９２がボルト１９０の端部に付着できる。保護チップ１９２はブレージング工程を通じてボルト１９０の端部に付着できる。
【００４６】
第２保護板１５０は、分配板１１０の第２分配面１１４を保護することができる。第２保護板１５０は、分配板１１０の第２分配面１１４に当接できる。本実施形態において、第２保護板１５０は略リング形状を有することができる。したがって、第２保護板１５０は、上部面、下部面、内側面１５２、及び外側面１５４を有することができる。第２保護板１５０の下部面が分配板１１０の第２分配面１１４に当接できる。収容溝１５６が第２保護板１５０の内側面１５２に形成できる。第２保護板１５０は、骨材の衝突から突出部１３０の第２分配面１３２を保護するためのタングステンカーバイドのような超硬合金材質を含むことができる。
【００４７】
第２保護板１５０は、分配板１１０の第２分配面１１４にボルト１９０により締結できる。ボルト１９０は、分配板１１０の下部面から第２保護板１５０に向けて締結できる。したがって、ボルト１９０のヘッドは収容溝１１９を通じて露出できる。一方、ボルト１９０の端部は第２保護板１５０の上部面を通じて露出できる。ボルト１９０の端部が骨材と衝突して摩耗することを防止するために、保護チップ１９２がボルト１９０の端部に付着できる。保護チップ１９２は、ブレージング工程を通じてボルト１９０の端部に付着できる。
【００４８】
第３保護板１６０は、分配板１１０の外側面１１８を保護することができる。第３保護板１６０は、分配板１１０の外側面１１８と当接できる。本実施形態において、第３保護板１６０は略リング形状を有することができる。したがって、第３保護板１６０は、上部面、下部面、内側面１６２、及び外側面１６４を有することができる。第３保護板１６０の上部面は、外側保護板１３０の外側面１３４に当接できる。第３保護板１６０の下部面は、分配板１１０の下部面と実質的に同一平面上に位置できる。第３保護板１６０の内側面１６２が分配板１１０の外側面１１８と当接できる。前述したように、分配板１１０の外側面１１８は上から下に行くにつれて徐々に増える勾配付けた形状を有しているので、第３保護板１６０の内側面１６２は逆に、下から上に行くにつれて徐々に増える勾配付けた形状を有することができる。第３保護板１６０は、骨材の衝突から分配板１１０の外側面１１８を保護するためのタングステンカーバイドのような超硬合金材質を含むことができる。
【００４９】
第４保護板１７０は、分配板１１０の内側面１１６を保護することができる。第４保護板１７０は、分配板１１０の内側面１１６と当接できる。本実施形態において、第４保護板１７０は略リング形状を有することができる。したがって、第４保護板１７０は、上部面、下部面、内側面、及び外側面を有することができる。第４保護板１７０の内側面は、軸孔１１３を通じて露出できる。第４保護板１７０の外側面は、分配板１１０の内側面１１６に当接できる。第４保護板１７０の上部面は、第２分配面１１４より上に突出できる。第２分配面１１４より突出した第４保護板１７０の上端部位は、第２保護板１５０の収容溝１５６に収容できる。したがって、第４保護板１７０の上端部位が第２保護板１５０の収容溝１５６に収容されることによって、第４保護板１７０が分配板１１０と第２保護板１５０に堅固に組立できる。第４保護板１７０は、分配板１１０の内側面１１６を保護するためのタングステンカーバイドのような超硬合金材質を含むことができる。
【００５０】
分配板１１０は、ボルト１８０により垂直軸に締結できる。ボルト１８０は、軸孔１１３を通じて進入して分配板１１０を垂直軸に固定させることができる。したがって、ボルト１８０のヘッドは軸孔１１３の内部で上に向かうことができる。骨材がボルト１８０のヘッドに衝突してボルト１８０と垂直軸との間の連結力を弱化させる虞があるので、保護カバー１８２がボルト１８０のヘッドに付着できる。保護カバー１８２は、タングステンカーバイドのような超硬合金材質を含むことができる。保護カバー１８２は、ブレージング工程を通じてボルト１８０のヘッドに付着できる。
【００５１】
図７は、本発明の他の実施形態に係る垂直軸インパクトクラッシャーの分配部材を示す断面図である。
【００５２】
本実施形態に係る分配部材１００ａは分配板１１０と第３保護板１６０との間の連結構造を除いては、図１に図示された分配部材１００の構成要素と実質的に同一な構成要素を含むことができる。したがって、同一な構成要素は同一な参照符号で示され、また同一な構成要素に対する反復説明は省略することができる。
【００５３】
図７を参照すると、分配板１１０の外側面１１８ａは勾配付けた形状を有しないことがある。一方、分配板１１０の外側面１１８ａは軸孔１１３の軸方向と実質的に平行することができる。係止段１４２が分配板１１０の外側面１１８ａに形成できる。特に、係止段１４２は分配板１１０の外側面１１８ａの下部に形成できる。即ち、係止段１４２は分配板１１０の外側面１１８ａの下端から上部に向けて延長できる。
【００５４】
第３保護板１６０の内側面１６２ａは、分配板１１０の外側面１１８ａに当接できる。したがって、第３保護板１６０の内側面１６２ａも分配板１１０の外側面１１８ａと実質的に平行することができる。係止溝１６６が第３保護板１６０の内側面１６２ａに形成できる。係止段１４２が係止溝１６６に掛かって支持されるので、係止溝１６６は第３保護板１６０の内側面１６２ａの下端から上部に向けて形成できる。
他の実施形態として、第３保護板１６０と分配胴体部１１０は前記の連結構造の以外にも他の連結構造を用いて組み立てることもできることは当業者に自明である。
【００５５】
図８は、本発明の更に他の実施形態に係る垂直軸インパクトクラッシャーの分配部材を示す断面図である。
【００５６】
本実施形態に係る分配部材１００ｂは第２保護板を除いては、図１に図示された分配部材１００の構成要素と実質的に同一な構成要素を含むことができる。したがって、同一な構成要素は同一な参照符号で示され、また同一な構成要素に対する反復説明は省略することができる。
【００５７】
図８を参照すると、第２保護板１５０ｂは複数個からなることができる。複数個の第２保護板１５０ｂは分配板１１０の第２分配面１１４に当接できる。第２保護板１５０ｂは、分配板１１０の第２分配面１１４の円周線に沿って配列できる。円周線は、分配板１１０の第２分配面１１４を連結する線でありうる。第２保護板１５０ｂは、実質的に同一なサイズ及び形状を有することができる。第２保護板１５０ｂの各々は略等辺台形の形状を有することができる。
【００５８】
第２保護板１５０ｂは、ボルト１９０により分配板１１０に締結できる。したがって、第２保護板１５０ｂのうち、ひどく摩耗したいずれか１つのみを新しい第２保護板１５０ｂに取り替えることができる。第２保護板１５０ｂの取替えはボルト１９０を用いて容易に遂行できる。
【００５９】
垂直軸インパクトクラッシャー
図９は、図１に図示された分配部材を含む垂直軸インパクトクラッシャーを示す断面図である。
【００６０】
図９を参照すると、垂直軸インパクトクラッシャー２００は、クラッシングチャンバー２１０、クラッシングチャンバー２１０の上部に配置されたフィーディングホッパ２２０、及びクラッシングチャンバー２１０の上部中央に配置されてフィーディングホッパ２２０と連通されたローター２３０を含むことができる。骨材は、フィーディングホッパ２２０を通じて垂直方向にローター２３０内に投入できる。ローター２３０は垂直軸２５０に連結されて、垂直軸２５０により回転できる。
【００６１】
分配部材１００がローター２３０の底面中央に配置できる。分配部材１００は、ローター２３０内に垂直方向に沿って投入された骨材を水平方向に分配することができる。分配部材１００は、ローター２３０を回転させるボルト１８０を媒介に垂直軸２５０に連結されて、ローター２３０と共に回転できる。
【００６２】
分配部材１００は、図１に図示された分配部材１００の構成要素と実質的に同一な構成要素を含むことができる。したがって、同一な構成要素は同一な参照符号で示され、また同一な構成要素に対する反復説明は省略することができる。他の実施形態として、垂直軸インパクトクラッシャー２００は、図７に図示された分配部材１００ａまたは図８に図示された分配部材１００ｂを含むこともできる。
【００６３】
分配部材１００により水平方向に分配された骨材が衝突されるアンビル２４０がクラッシングチャンバー２１０の内壁に配置できる。
【００６４】
骨材は、フィーディングホッパ２２０を通じてローター２３０内に垂直方向に投入できる。骨材はローター２３０内で分配部材１００の第１保護板１４０と第２保護板１５０に衝突した後、水平方向に分配できる。ここで、第１保護板１４０と第２保護板１５０は超硬合金を含むので、骨材に対して優れる耐摩耗性を有する。したがって、第１保護板１４０と第２保護板１５０を適期に取り替えてくれることによって、分配板１１０を半永久的に使用することができる。特に、第１保護板１４０が超硬合金材質の複数個の内側保護板１２０と外側保護板１３０を含むので、内側保護板１２０と外側保護板１３０のうち、ひどく摩耗した保護板のみを選択的に取り替えることができる。
【００６５】
水平方向に分配された骨材は、アンビル２４０に衝突して砂利と骨材に粉砕できる。砂利と骨材はクラッシングチャンバー２１０の下部に連結された出口を通じて外部に排出できる。
【００６６】
前述したように、本実施形態によれば、超硬合金材質である第１保護板と第２保護板が分配板の第１分配面と第２分配面の摩耗を防止することができる。特に、第１保護板は複数個からなっているので、第１保護板のうち、相対的により多く摩耗した第１保護板のみを新しいものに取り替えることができる。したがって、第１保護板のうち、少なくともいずれか１つ及び／又は第２保護板を適期に取り替えてくれることによって、分配部材を半永久的に使用することができる。
【００６７】
前述したように、本発明の好ましい実施形態を参照して説明したが、該当技術分野の熟練した当業者であれば、以下の特許請求範囲に記載された本発明の思想及び領域から逸脱しない範囲内で本発明を多様に修正及び変更させることができることを理解することができる。
【符号の説明】
【００６８】
１１０    分配板
１１３    軸孔
１１２    第１分配面
１１４    第２分配面
１１６    分配板の内側面
１１８    分配板の外側面
１１９    収容溝
１２０    内側保護板
１２２    内側保護板の内側面
１２４    内側保護板の外側面
１２６    内側保護板の上部面
１２８    内側保護板の下部面
１３０    外側保護板
１３２    外側保護板の内側面
１３４    外側保護板の外側面
１３６    外側保護板の上部面
１３８    外側保護板の下部面
１４０    第１保護板
１５０    第２保護板
１５２    第２保護板の内側面
１５４    第２保護板の外側面
１５６    収容溝
１６０    第３保護板
１６２    第３保護板の内側面
１６４    第３保護板の外側面
１６６    係止溝
１７０    第４保護板
１８０、１９０    ボルト
１８２    保護カバー
２１０    クラッシングチャンバー
２２０    フィーディングホッパ
２３０    ローター
２４０    アンビル
２５０    垂直軸
１４２    係止段
１９２    保護チップ
【図１】
2018519995.tif 000003
【図２】
2018519995.tif 000004
【図３】
2018519995.tif 000005
【図４】
2018519995.tif 000006
【図５】
2018519995.tif 000007
【図６】
2018519995.tif 000008
【図７】
2018519995.tif 000009
【図８】
2018519995.tif 000010
【図９】
2018519995.tif 000011
【国際調査報告】
2018519995.tif 000012
2018519995.tif 000013
2018519995.tif 000014
2018519995.tif 000015